(57)【要約】【課題】点字タイルの養生を短時間で且つ安価に行えるようにする。【解決手段】点字タイル（警告タイル１０、誘導タイル２０）の凸部に対応する穴が形成された穴開きマット１４又はバー２４と、前記穴開きマット１４又はバー２４を固定するための固定部材（１６、２６）と、を備えた点字タイル（警告タイル１０、誘導タイル２０）の養生部材１２、２２を提供する。前記固定部材（１６、２６）は、前記穴開きマット１４又はバー２４が貼り付けられた汚れ防止シート１６、２６であることができる。【選択図】図２
2019073947.tif 000002
【特許請求の範囲】
【請求項１】
点字タイルの凸部に対応する穴が形成された穴開きマット又はバーと、
前記穴開きマット又はバーを固定するための固定部材と、
を備えたことを特徴とする点字タイルの養生部材。
【請求項２】
前記固定部材が、前記穴開きマット又はバーが貼り付けられた汚れ防止シートであることを特徴とする請求項１に記載の点字タイルの養生部材。
【請求項３】
前記点字タイルがホームドアの乗降口部に配設される警告タイルであることを特徴とする請求項１又は２に記載の点字タイルの養生部材。
【請求項４】
前記点字タイルがホームドアの固定柵部に配設される誘導タイルであることを特徴とする請求項１又は２に記載の点字タイルの養生部材。
【請求項５】
点字タイルの上に請求項１乃至４のいずれかに記載の養生部材を載せた後、汚れ防止シートごと該養生部材を取り外すことを特徴とする点字タイルの養生方法。
【請求項６】
前記点字タイルの養生を、ホームドア施工時に行うことを特徴とする請求項５に記載の点字タイルの養生方法。
【発明の詳細な説明】
【技術分野】
【０００１】
本発明は、点字タイルの養生部材、及び、この養生部材を用いた点字タイルの養生方法に係り、特に、鉄道施設のホームドア（可動式ホーム柵とも称する）施工時にプラットホーム上に配設されている警告タイルや誘導タイルなどの点字タイルを養生する際に用いるのに好適な、点字タイルの養生部材、及び、この養生部材を用いた点字タイルの養生方法に関する。
【背景技術】
【０００２】
近年、鉄道施設において、プラットホーム上の安全性を向上するべく、例えば特許文献１に記載されているように、プラットホームの線路側縁に沿ってホームドアを配設することが行われている。
【０００３】
このホームドアを設ける際には、例えば特許文献２に記載されたような点字養生部材により、プラットホームの線路側縁に沿って設けられている、視覚障害者に対する警告タイルや誘導タイルなどの点字タイルを養生する必要がある。
【０００４】
そのため従来は、図１に例示する如く、まずステップ１１０で点字タイル上に汚れ防止シートを敷き、次いでステップ１２０で、特許文献２の図１及び図２に示されるような穴開きゴムマットを、特許文献２の図３に示されるように警告タイルの上に１枚１枚並べ、更に、ステップ１３０で、特許文献２の図５又は図６に示されるようなゴムバーを、同じく図５又は図６に示されるように誘導タイルの上に１本ずつ並べ、ステップ１４０で、点字タイルの寸法に合わせて余分な汚れ防止シートをカットしていた。なお、施工現場の状況によって、ステップ１２０〜１４０は入れ替わる場合もある。
【先行技術文献】
【特許文献】
【０００５】
【特許文献１】実用新案登録第３１９２１８０号公報
【特許文献２】実用新案登録第３１９９１７０号公報（図１〜図３、図５、図６）
【発明の概要】
【発明が解決しようとする課題】
【０００６】
しかしながら従来は、穴開きゴムマットやゴムバーと汚れ防止シートが別体であったため、作業に手間がかかっていた。
【０００７】
本発明は、前記従来の問題点を解消するべくなされたもので、点字タイルの養生を短時間で且つ安価に行うことが可能な点字タイルの養生部材、及び、これを用いた点字タイルの養生方法を提供することを課題とする。
【課題を解決するための手段】
【０００８】
本発明は、点字タイルの凸部に対応する穴が形成された穴開きマット又はバーと、前記穴開きマット又はバーを固定するための固定部材と、を備えたことを特徴とする点字タイルの養生部材により、前記課題を解決するものである。
【０００９】
ここで、前記固定部材を、前記穴開きマット又はバーが貼り付けられた汚れ防止シートとすることができる。
【００１０】
又、前記点字タイルをホームドアの乗降口部に配設される警告タイルとすることができる。
【００１１】
又、前記点字タイルをホームドアの固定柵部に配設される誘導タイルとすることができる。
【００１２】
本発明は、又、点字タイルの上に前記養生部材を載せた後、汚れ防止シートごと該養生部材を取り外すことを特徴とする点字タイルの養生方法により、同様に前記課題を解決するものである。
【００１３】
ここで、前記点字タイルの養生を、ホームドア施工時に行うことができる。
【発明の効果】
【００１４】
本発明によれば、マットやバーが汚れ防止シートに予め貼り付けられているので、汚れ防止シートを敷き、マットを１枚１枚並べていた作業及びバーを１本１本並べていた作業が、それぞれ１作業にまとまり、更に、汚れ防止シートの切断の手間も無くなったので、工期を短縮すると共に施工費用を低下させることが可能となる。更に、打音点検、中央タイル施工などで別途点字タイルの開閉が必要になった場合にも、汚れ防止シートを新たに敷く必要が無くなる。
【図面の簡単な説明】
【００１５】
【図１】従来の点字タイルの養生方法の一例を示す流れ図
【図２】本発明の第１実施形態に係る警告タイル用の養生部材を示す三面図
【図３】同じく第２実施形態に係る誘導タイル用の養生部材を示す三面図
【図４】前記実施形態を用いたホームドアの施工手順を示す流れ図
【図５】同じくホームドアの養生前後の状態を示す平面図
【発明を実施するための形態】
【００１６】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１７】
本発明の第１実施形態は、本発明をプラットホーム８（図５参照）上の警告タイル１０用の養生部材１２に適用したもので、図２に示す如く、例えばプラットホーム８の乗降口部８Ａ（図５参照）に対応する、例えば警告タイル１０の２×６＝１２枚分の大きさ（実施例では１８００ｍｍ×６００ｍｍ）のゴム製の穴開きマット１４と、該穴開きマット１４を貼り付けた汚れ防止シート１６とを含んで構成されている。
【００１８】
又、本発明の第２実施形態は、本発明をプラットホーム８上の誘導タイル２０用の養生部材２２に適用したもので、図３に示す如く、例えばプラットホーム８の固定柵部８Ｂ（図５参照）の長さに対応する、誘導タイル２０の８〜１０個分程度の長さの、例えばゴム製の３本のバー２４と、該ゴムバー２４を３本並べた状態で貼り付けた汚れ防止シート２６とを含んで構成されている。
【００１９】
前記汚れ防止シート１６、２６としては、例えばポリエチレンフィルムを用いることができる。
【００２０】
以下、ホームドアの施工の場合を例にとり、図４及び図５を参照して養生の方法を説明する。
【００２１】
プラットホーム８上に点字タイルが設置されていない場合には、図４のステップ２１０で、乗降口部８Ａに警告タイル１０を新設する。
【００２２】
次いでステップ２２０で、固定柵部８Ｂに誘導タイル２０を新設する。
【００２３】
なお、ステップ２１０とステップ２２０は、現場の状況に応じて省略したり入れ替えることができる。又、ステップ２３０とステップ２４０も、現場の状況に応じて入れ替えることができる。
【００２４】
プラットホーム８上に警告タイル１０と誘導タイル２０が配設された状態を、図５（Ａ）に示す。
【００２５】
次いでステップ２３０、２４０で、本発明に係る養生部材１２、２２を、それぞれ警告タイル１０上及び誘導タイル２０上に載せて、警告タイル１０及び誘導タイル２０を養生する。
【００２６】
次いでステップ２５０に進み、特許文献１に例示されるようなホーム柵を設置する。
【００２７】
次いでステップ２６０で養生部材１２、２２を剥がしてホーム柵の設置が終了する。
【００２８】
このようにして、汚れ防止シート１６、２６で連結した養生部材１２、２２を用いることで、ゴムマットやゴムバーを１枚１枚又は１本１本並べていた作業が無くなる。又、汚れ防止シート１６、２６の切断の手間も無くなり、工期を短縮すると共に、施工費用を低下させることができる。
【００２９】
本実施形態においては、汚れ防止シートを用いて複数の穴開きマットやゴムバーを固定しているので、余分な部材が不要である。なお、複数の穴開きマットやゴムバーを並べて固定する固定部材は、これに限定されない。
【００３０】
又、マットやバーの材質もゴムに限定されない。マットのサイズやバーの長さも、取扱いや運搬を考えて扱いやすい大きさに調整することができる。更に、マットやバーの連結方法や連結数も前記実施形態に限定されない。
【００３１】
前記実施形態においては、本発明が鉄道施設のプラットホーム上の点字タイルの養生に適用されていたが、本発明の適用対象はこれに限定されず、歩道や他の施設内に配設されている点字タイル一般にも同様に適用できることは明らかである。
【符号の説明】
【００３２】
８…プラットホーム
８Ａ…乗降口部
８Ｂ…固定柵部
１０…警告タイル
１２、２２…養生部材
１４…穴開きゴムマット
１６、２６…汚れ防止シート
２０…誘導タイル
２４…ゴムバー
【図１】
2019073947.tif 000003
【図２】
2019073947.tif 000004
【図３】
2019073947.tif 000005
【図４】
2019073947.tif 000006
【図５】
2019073947.tif 000007